(57)【特許請求の範囲】
【請求項１】
吸入口と吐出口が連通する内部空間を備えたハウジングと、前記ハウジングの前記内部空間に回動可能に収納された歯車と、前記歯車に連結されて前記ハウジングの開口から外方に突出する回転軸とを有し、前記回転軸の回転により前記歯車を回動することにより前記吸入口から溶剤を吸い込んで前記吐出口から吐出する溶剤用ポンプに設けられ、前記ハウジングの前記開口と前記回転軸との間に設けられて前記回転軸を前記ハウジングに対して回動自在に支持する溶剤用ポンプの軸受において、
前記回転軸の軸方向に関して前記開口の内方側で前記回転軸と前記ハウジングの間に設けられ、前記回転軸に平行な方向の荷重を支えるとともに前記回転軸と前記ハウジングの間をシールする第１軸受部材と、
前記開口の内部で前記第１軸受部材と接触するように前記回転軸の外周面に取り付けられた内輪と、
前記回転軸の軸方向に関して前記開口の外方側で前記回転軸と前記ハウジングの間に設けられ、前記内輪に当接するように設けられて前記回転軸に直交する方向の荷重を支える第２軸受部材と、
前記開口内に設けられ前記第２軸受部材を前記回転軸に平行な方向に押圧することにより前記内輪を介して前記第１軸受部材を同方向に押圧し、前記第１軸受部材を前記ハウジングと前記内輪に面接触させることにより前記第１軸受部材のシール機能を保持させる付勢手段と、
を具備することを特徴とする溶剤用ポンプの軸受。
【請求項２】
吸入口と吐出口が連通する内部空間を備えたハウジングと、前記ハウジングの前記内部空間に回動可能に収納されて互いに噛み合う内歯車及び外歯車と、前記外歯車に連結されて前記ハウジングの開口から外方に突出する回転軸とを有し、前記回転軸の回転により前記内歯車及び前記外歯車を回動することにより前記吸入口から溶剤を吸い込んで前記吐出口から吐出する溶剤用ポンプに設けられ、前記ハウジングの前記開口と前記回転軸との間に設けられて前記回転軸を前記ハウジングに対して回動自在に支持する溶剤用ポンプの軸受において、
前記回転軸の軸方向に関して前記開口の内方側で前記回転軸と前記ハウジングの間に設けられ、前記回転軸に平行な方向の荷重を支えるとともに前記回転軸と前記ハウジングの間をシールする第１軸受部材と、
前記開口の内部で前記第１軸受部材と接触するように前記回転軸の外周面に取り付けられた内輪と、
前記回転軸の軸方向に関して前記開口の外方側で前記回転軸と前記ハウジングの間に設けられ、前記内輪に当接するように設けられて前記回転軸に直交する方向の荷重を支える第２軸受部材と、
前記開口内に設けられ前記第２軸受部材を前記回転軸に平行な方向に押圧することにより前記内輪を介して前記第１軸受部材を同方向に押圧し、前記第１軸受部材を前記ハウジングと前記内輪に面接触させることにより前記第１軸受部材のシール機能を保持させる付勢手段と、
を具備することを特徴とする溶剤用ポンプの軸受。
【請求項３】
吸入口と吐出口が連通する内部空間を備えたハウジングと、前記ハウジングの前記内部空間に回動可能に収納されて互いに噛み合う内歯車及び外歯車と、前記外歯車に連結されて前記ハウジングの開口から外方に突出する回転軸とを有し、前記回転軸の回転により前記内歯車及び前記外歯車を回動することにより前記吸入口から溶剤を吸い込んで前記吐出口から吐出する溶剤用ポンプに設けられ、前記ハウジングの前記開口と前記回転軸との間に設けられて前記回転軸を前記ハウジングに対して回動自在に支持する溶剤用ポンプの軸受において、
前記開口の内部で前記開口の内方側の端面に接触するように前記回転軸の外周に設けられ、前記回転軸に平行な方向の荷重を支えるとともに前記回転軸と前記端面の間をシールする第１軸受部材と、
前記開口の内部で前記第１軸受部材と接触するように前記回転軸の外周面に取り付けられた内輪と、
前記開口の内部で前記内輪の外周面に対して摺動自在であるとともに前記回転軸の軸方向について前記内輪に当接するように設けられて前記回転軸に直交する方向の荷重を支える第２軸受部材と、
前記開口の内部で前記第２軸受部材の外周面に設けられて前記開口の内周面に接するように設けられた外輪と、
前記開口の内部に設けられ前記外輪を介して前記第２軸受部材を前記回転軸に平行な方向に押圧することにより前記内輪を介して前記第１軸受部材を同方向に押圧し、前記第１軸受部材を前記端面と前記内輪に面接触させることにより前記第１軸受部材のシール機能を保持させる付勢手段と、
を具備することを特徴とする溶剤用ポンプの軸受。
【請求項４】
前記第１軸受部材と前記第２軸受部材が、樹脂からなることを特徴とする請求項１乃至３に記載の溶剤用ポンプの軸受。
【請求項５】
前記ハウジングの前記開口に、前記回転軸がシール部材を介して貫通する貫通孔を備え前記ハウジングに対して着脱自在とされた蓋部材が取り付けられていることを特徴とする請求項１乃至４のいずれか一つに記載の溶剤用ポンプの軸受。
【発明の詳細な説明】
【技術分野】
【０００１】
本発明は、有機溶剤等の溶剤を圧送するためのギアポンプにおいて回転軸を支持する軸受に係り、特に溶剤による劣化及びこれによるポンプ本体の損傷がなく、溶剤が漏れにくいシール性の高い軸受に関するものである。
【背景技術】
【０００２】
図２は、ギアポンプ（内接ギアポンプ）の断面図である。このギアポンプは、流体の吸入口１ａと吐出口１ｂが連通する略円筒形の内部空間を備えたハウジング１を有している。このハウジング１の内部空間２には、リング状で内側に歯が形成された内歯車３が回転可能に収納されており、この内歯車３には、端面形状が断面三日月形の図示しない仕切板を介して、外歯車４が一部の内歯に噛み合って回動可能に設けられている。図２に示す構造例では、ハウジング１の内部空間２は２箇所に形成され、各内部空間２にそれぞれ内歯車３及び外歯車４と仕切板が収納された２連構造である。そして、各連の外歯車４には共通の回転軸５が連結され、この回転軸５はハウジング１の開口６から外方に突出しており、駆動源に接続可能とされている。
以上のような基本構造を備えた内接ギアポンプに関する先行技術文献情報としては、例えば下記非特許文献１に記載されたようなものがある。
【０００３】
前記ギアポンプにおいては、一般に回転軸５とハウジング１の支持部との間には潤滑構造が設けられており、またハウジング１の開口６と回転軸５の間の隙間には以下に説明するような軸受及びシール構造が設けられている。
【０００４】
図２及び図３の拡大図にも示すように、ハウジング１を貫通した回転軸５はハウジング１の開口６から外に突出しているが、この開口６は回転軸５よりも大径であり、回転軸５に平行な方向の最奥部は同方向に直交する平坦な端面７（段部）となっている。この端面７には、開口６と略同一径であって外周につばを有するリング状のオイルシール８が嵌合されている。さらに開口６内の回転軸５とハウジング１との間には、軸受として一般に玉軸受９が取り付けられている。この玉軸受９は端面をゴムシール１０で覆って内部のボールを保護したシール形である。そして開口６は、回転軸５が貫通する貫通孔１１ａを備えた蓋部材１１で塞がれており、該蓋部材１１はハウジング１に対して図示しないボルト等によって着脱自在に固定されている。なお、蓋部材１１の貫通孔１１ａと、これを挿通する回転軸５の間には、外部からのごみ進入を防止するためにフッ素ゴム等からなるリップシール１２が設けられている。
【０００５】
以上のように構成されたギアポンプによれば、回転軸５を回転させて内歯車３及び外歯車４を回動させると、溶剤を吸入口１ａから吸い込んで吐出口１ｂから吐出することができる。搬送される流体はオイルシール８によってハウジング１内に封止され、外部には漏れないものとされている。
【非特許文献１】Ｉｍｏ（登録商標）−Ｐｕｍｐホームページ、”Brochures"、"CIG Series Internal Gear Pumps"、［online］、［平成２０年１月１８日検索］、インターネット〈http://www.imo-pump.com/brochures/BR000CIG.PDF〉
【発明の開示】
【発明が解決しようとする課題】
【０００６】
有機溶剤は、油脂を溶解させたり、ゴム部品を膨潤させる性質がある。このため、上述したように軸受としてグリース潤滑の玉軸受９を使用している一般的なギアポンプで有機溶剤を圧送する場合には、種々の問題が生じていた。すなわち、図３に示すように玉軸受９を使用している従来のギアポンプでは、オイルシール８が回転軸５との接触によって摩耗すると、回転軸５とオイルシール８の間に隙間が発生し、図中太線で示した矢印の経路Ａで示すように、内部から隙間を経て有機溶剤のにじみ漏れが発生する。この滲み出た有機溶剤が玉軸受９のゴムシール１０を膨潤させ、玉軸受の内部に浸入して玉軸受９の油脂を溶解・溶出させてしまう。その結果、玉軸受９の潤滑性が低下して玉軸受９が過熱・摩耗し、さらには玉軸受９だけでなくポンプ本体の損傷も懸念される状態に至る場合もある。
【０００７】
そのため、玉軸受を備えた従来のギアポンプで有機溶剤を圧送するためには、上述したような問題の発生を回避するべく、特殊で複雑な軸シール構造を特に設ける必要があり、コスト高を避けることができなかった。
【０００８】
また、従来のギアポンプで用いられていたオイルシール８は、玉軸受９の内側でハウジング１の開口６内に圧入する構造であるため、交換時の作業が大変困難で、メンテナンス性が悪いという問題があった。すなわち、オイルシール８を交換するには、ハウジング１の開口６の蓋部材１１を外し、回転軸５を抜き取ってから玉軸受９を外し、その後でオイルシール８を外して新品と交換することとなり、工程・手順が極めて煩雑であった。
【０００９】
さらに、図２及び図３に示すギアポンプで用いられている玉軸受９は油補給を必要としないグリース密閉式であるが、従来のギアポンプで用いられている玉軸受の中には、油脂の補給が必要なものもあり、そのような場合にはメンテナンスに手間がかかるという問題もあった。
【００１０】
そこで本発明は、以上の課題を解決するものであり、ギアポンプとしての構造を変えることなく、回転軸を支持する軸受構造の変更のみにより、安定したシール性と高い耐久性をもって有機溶剤等の溶剤をギアポンプで圧送できるようにし、また交換も簡単であり、さらに油脂補給が不要でメンテナンスフリーであるギアポンプの軸受を提供することを目的としている。
【課題を解決するための手段】
【００１１】
上記の目的を達成するために、従来の玉軸受に替えてラジアル方向の荷重を支える軸受として油脂を一切使用しない樹脂製の第２軸受部材を使用するとともに、この第２軸受部材とハウジングの間にスラスト方向の荷重を支える軸受として樹脂製の第１軸受部材を使用し、さらにスラスト方向の付勢力を発生する付勢手段によって第２軸受部材を介して第１軸受部材をハウジングに押し付け、摩耗によって発生する隙間からの溶剤漏れを防止する構造を採用することとした。
【００１２】
すなわち、請求項１に記載された溶剤用ポンプの軸受は、
吸入口と吐出口が連通する内部空間を備えたハウジングと、前記ハウジングの前記内部空間に回動可能に収納された歯車と、前記歯車に連結されて前記ハウジングの開口から外方に突出する回転軸とを有し、前記回転軸の回転により前記歯車を回動することにより前記吸入口から溶剤を吸い込んで前記吐出口から吐出する溶剤用ポンプに設けられ、前記ハウジングの前記開口と前記回転軸との間に設けられて前記回転軸を前記ハウジングに対して回動自在に支持する溶剤用ポンプの軸受において、
前記回転軸の軸方向に関して前記開口の内方側で前記回転軸と前記ハウジングの間に設けられ、前記回転軸に平行な方向の荷重を支えるとともに前記回転軸と前記ハウジングの間をシールする第１軸受部材と、
前記開口の内部で前記第１軸受部材と接触するように前記回転軸の外周面に取り付けられた内輪と、
前記回転軸の軸方向に関して前記開口の外方側で前記回転軸と前記ハウジングの間に設けられ、前記内輪に当接するように設けられて前記回転軸に直交する方向の荷重を支える第２軸受部材と、
前記開口内に設けられ前記第２軸受部材を前記回転軸に平行な方向に押圧することにより前記内輪を介して前記第１軸受部材を同方向に押圧し、前記第１軸受部材を前記ハウジングと前記内輪に面接触させることにより前記第１軸受部材のシール機能を保持させる付勢手段と、
を具備することを特徴としている。
【００１３】
請求項２に記載された溶剤用ポンプの軸受は、
吸入口と吐出口が連通する内部空間を備えたハウジングと、前記ハウジングの前記内部空間に回動可能に収納されて互いに噛み合う内歯車及び外歯車と、前記外歯車に連結されて前記ハウジングの開口から外方に突出する回転軸とを有し、前記回転軸の回転により前記内歯車及び前記外歯車を回動することにより前記吸入口から溶剤を吸い込んで前記吐出口から吐出する溶剤用ポンプに設けられ、前記ハウジングの前記開口と前記回転軸との間に設けられて前記回転軸を前記ハウジングに対して回動自在に支持する溶剤用ポンプの軸受において、
前記回転軸の軸方向に関して前記開口の内方側で前記回転軸と前記ハウジングの間に設けられ、前記回転軸に平行な方向の荷重を支えるとともに前記回転軸と前記ハウジングの間をシールする第１軸受部材と、
前記開口の内部で前記第１軸受部材と接触するように前記回転軸の外周面に取り付けられた内輪と、
前記回転軸の軸方向に関して前記開口の外方側で前記回転軸と前記ハウジングの間に設けられ、前記内輪に当接するように設けられて前記回転軸に直交する方向の荷重を支える第２軸受部材と、
前記開口内に設けられ前記第２軸受部材を前記回転軸に平行な方向に押圧することにより前記内輪を介して前記第１軸受部材を同方向に押圧し、前記第１軸受部材を前記ハウジングと前記内輪に面接触させることにより前記第１軸受部材のシール機能を保持させる付勢手段と、
を具備することを特徴としている。
【００１４】
請求項３に記載された溶剤用ポンプの軸受は、
吸入口と吐出口が連通する内部空間を備えたハウジングと、前記ハウジングの前記内部空間に回動可能に収納されて互いに噛み合う内歯車及び外歯車と、前記外歯車に連結されて前記ハウジングの開口から外方に突出する回転軸とを有し、前記回転軸の回転により前記内歯車及び前記外歯車を回動することにより前記吸入口から溶剤を吸い込んで前記吐出口から吐出する溶剤用ポンプに設けられ、前記ハウジングの前記開口と前記回転軸との間に設けられて前記回転軸を前記ハウジングに対して回動自在に支持する溶剤用ポンプの軸受において、
前記開口の内部で前記開口の内方側の端面に接触するように前記回転軸の外周に設けられ、前記回転軸に平行な方向の荷重を支えるとともに前記回転軸と前記端面の間をシールする第１軸受部材と、
前記開口の内部で前記第１軸受部材と接触するように前記回転軸の外周面に取り付けられた内輪と、
前記開口の内部で前記内輪の外周面に対して摺動自在であるとともに前記回転軸の軸方向について前記内輪に当接するように設けられて前記回転軸に直交する方向の荷重を支える第２軸受部材と、
前記開口の内部で前記第２軸受部材の外周面に設けられて前記開口の内周面に接するように設けられた外輪と、
前記開口の内部に設けられ前記外輪を介して前記第２軸受部材を前記回転軸に平行な方向に押圧することにより前記内輪を介して前記第１軸受部材を同方向に押圧し、前記第１軸受部材を前記端面と前記内輪に面接触させることにより前記第１軸受部材のシール機能を保持させる付勢手段と、
を具備することを特徴としている。
【００１５】
請求項４に記載された溶剤用ポンプの軸受は、請求項１乃至３に記載の溶剤用ポンプの軸受において、
前記第１軸受部材と前記第２軸受部材が、樹脂からなることを特徴としている。
【００１６】
請求項５に記載された溶剤用ポンプの軸受は、請求項１乃至４のいずれか一つに記載の溶剤用ポンプの軸受において、
前記ハウジングの前記開口に、前記回転軸がシール部材を介して貫通する貫通孔を備え前記ハウジングに対して着脱自在とされた蓋部材が取り付けられていることを特徴としている。
【発明の効果】
【００１７】
請求項１乃至３に記載された発明によれば、溶剤の圧送に用いられるギアポンプの軸受において、第１軸受部材は回転軸の軸線方向の軸受として機能し、第２軸受部材は回転軸の半径方向の軸受として機能する。また付勢手段は、第２軸受部材を軸線方向に付勢して第１軸受部材を押圧するので、第１軸受部材は第２軸受部材側とハウジング側との間に挟まれ、これらに対して安定的に面接触した状態にあり、高いシール性を発揮するので、回転軸とハウジングの隙間から第２軸受部材の方へ溶剤が漏れる恐れは少ない。そして、使用につれて第１軸受部材に摩耗が生じたとしても、第２軸受部材は、常に付勢手段によって第１軸受部材の方向に付勢されているため、この摩耗によって発生する部材間の隙間に追従して第１軸受部材をハウジングに対して押し付けた状態を維持することができるので、シール性能が安定しており耐久性が高い。また、第２軸受部材を交換する場合には、ハウジングの開口から外輪を外せば、第２軸受部材にアクセス可能となるので容易に交換できる。玉軸受を用いた構造のように回転軸を抜き取る必要はない。
【００１８】
特に、請求項３に記載された発明によれば、第２軸受部材を交換する場合には、ハウジングの開口から外輪を外せば、容易に第２軸受部材にアクセス可能となるので容易に交換できる。
【００１９】
請求項４に記載された発明によれば、請求項１乃至３に記載の発明において、前記第１軸受部材と前記第２軸受部材がテフロン（登録商標）等の摺動性に優れた樹脂からなるので、油脂補給は不要であり、メンテナンスが容易である。
【００２０】
請求項５に記載された発明によれば、請求項１乃至４のいずれか一つに記載の発明において、前述したような安定した高いシール性を有する軸受構造をハウジングの開口内に収納し、蓋部材で確実に保持しておくことができる。軸受構造の交換等の場合には、蓋部材を外せば容易に交換作業を行なうことができる。
【発明を実施するための最良の形態】
【００２１】
以下本発明の最良の実施の形態につき、添付図面を参照して詳細に説明する。
図１は本発明の実施形態に係るギアポンプにおける軸受部分の拡大断面図である。本例のギアポンプは内接ギアポンプであり、流体の圧送に係る基本構造は図２を参照して説明した従来と同様であるので、ポンプ自体の基本構造については、背景技術の説明を援用するとともに、必要に応じて図２に示した参照符号を引用して再度説明するものとする。
【００２２】
図１および図２の基本構造に示すように、吸入口１ａと吐出口１ｂが連通する内部空間２を備えたハウジング１の内部空間２には、互いに噛み合う内歯車３及び外歯車４が図示しない三日月状の仕切板を介して回動可能に収納されており、外歯車４に連結された回転軸５がハウジング１の開口６から外方に突出している。
【００２３】
回転軸５が突出しているハウジング１の開口６は、回転軸５の外径よりも大きい内径を有しており、この開口６内に回転軸５の軸受が設けられている。本例のギアポンプは有機溶剤を被搬送流体としているため、その軸受構造は、以下に説明するように、高いシール性を長期間にわたって保持する高い耐久性を有しており、交換時の作業がしやすく（交換容易性）、油脂の補給が不要なメンテナンスフリーであり、さらに製造コストも安価であるという特徴を有しており、これらの点が玉軸受を使用した従来のギアポンプとの相違点である。
【００２４】
回転軸５が突出しているハウジング１の開口６の内端面（段部）には第１軸受部材２０が設けられている。第１軸受部材２０は摺動性の高いテフロン（登録商標）等の樹脂からなるリング状の部材であり、回転軸５の外周面を摺動可能に外挿するとともに、一方の面が開口６の端面７に接触している。第１軸受部材２０は、回転軸５に平行な方向（軸方向）の荷重を支えるとともに、開口６の端面７と回転軸５との間をシールする機能を備えている。
【００２５】
開口６の内部において、回転軸５の外周面には、クロムモリブデン鋼等からなる円筒形の内輪２１が取り付けられている。内輪２１は回転軸５と共に回転するが、軸方向にも移動可能である。内輪２１の軸方向の一端部にはフランジ２１ａが外方に突出して設けられており、このフランジ２１ａの一端面が第１軸受部材２０の他方の面に接触するようになっている。
【００２６】
開口６の内部において、内輪２１の外周面には第２軸受部材２２が設けられている。第２軸受部材２２は摺動性の高いテフロン（登録商標）等の樹脂からなる円筒状の部材であり、回転軸５とともに回転する内輪２１の外周面に対して摺動自在であるとともに、図中白抜きの矢印にて示すように回転軸５の軸方向について移動可能である。第２軸受部材２２の軸方向の一端部には段部が外方に突出して設けられており、この段部の一端面が内輪２１のフランジ２１ａの他端面に接触するようになっている。第２軸受部材２２は、回転軸５に直交する方向（半径方向）の荷重を支える機能を備えているが、玉軸受と異なり摺動性の高い樹脂製なので油脂は一切不要であり、メンテナンスフリーである。
【００２７】
開口６の内部において、第２軸受部材２２の外周面と開口６の内周面の間には、外輪２３が設けられている。外輪２３は、鋼材からなる円筒状の部材であり、軸方向の一端部の内側には段部が設けられている。外輪２３と第２軸受部材２２は、各段部において係合し、分解可能に組み立てられており、回転軸５に設けられた内輪２１と開口６の内周面との間に挿入されている。
【００２８】
開口６の内部には、外輪２３を軸方向の内側に押圧するスプリングワッシャー等の付勢手段２４が設けられている。付勢手段２４は、図中白抜きの矢印にて示すように、外輪２３を介して第２軸受部材２２を軸方向に沿って内方に押圧することにより、さらに内輪２１を介して第１軸受部材２０を同方向に押圧する。このため、第１軸受部材２０は、その一端面がハウジング１の開口６の端面７に安定的に面接触するとともに、他端面が内輪２１のフランジ２１ａの一端面に安定的に面接触する。その結果、第１軸受部材２０は軸方向の軸受として機能する他、回転軸５とハウジング１の間で安定したシール性を発揮し、これを保持することができる。
【００２９】
さらに、使用につれて第１軸受部材２０の他端面が、内輪２１のフランジ２１ａとの摩擦によって摩耗しても、付勢手段２４は外輪２３及び第２軸受部材２２を介して内輪２１を第１軸受部材２０に向けて常に押しているので、内輪２１は摩耗した分だけ第１軸受部材２０に向けて移動し、第１軸受部材２０と内輪２１の間に隙間が生じることはなく、両者は常に面で接触し、当該部分のシール性は確実に保持される。
【００３０】
ハウジング１の開口６には、軸受構造を覆うための蓋部材１１が図示しないボルト等の固着手段で取り外し自在に設けられている。蓋部材１１は円盤型の部材であり、その中央には回転軸５が挿通する回転軸５よりも大径の貫通孔１１ａが形成されており、貫通孔１１ａを挿通する回転軸５と貫通孔１１ａの内周面との間にはリップシール１２が設けられている。
【００３１】
以上の構成によれば、本例のギアポンプを溶剤の圧送に用いた場合、第１軸受部材２０は回転軸５の軸線方向の軸受として機能し、第２軸受部材２２は回転軸５の半径方向の軸受として機能する。また付勢手段２４は、外輪２３及び第２軸受部材２２を軸線方向に付勢して内輪２１を押し、内輪２１によって第１軸受部材２０を開口６の端面７に押し付けるので、第１軸受部材２０は内輪２１とハウジング１との間に挟まれ、これらに対して安定的に面接触した状態となり、高いシール性を発揮する。このため、回転軸５とハウジング１の隙間から第２軸受部材２２の方へ溶剤が漏れる恐れは少ない。
【００３２】
そして、使用につれて第１軸受部材２０の内輪２１側の面に摩耗が生じたとしても、内輪２１は常に付勢手段２４によって第１軸受部材２０の方向に付勢されているため、この摩耗によって発生する部材間の隙間に追従して第１軸受部材２０をハウジング１に対して押し付けた状態を維持することができるので、シール性能が安定しており耐久性が高い。
【００３３】
また、第２軸受部材２２は樹脂製の軸受であるため、玉軸受のように油脂を補給する必要がなく、メンテナンスフリーである。
【００３４】
また、第２軸受部材２２を交換する場合には、ハウジング１の開口６から蓋部材１１を外し、付勢手段２４と外輪２３を外せば、第２軸受部材２２にアクセス可能となるので容易に交換することができる。なお、第１軸受部材２０は、回転軸５を外すことによって交換することができる。
【００３５】
以上説明した実施形態では、ギアポンプとして内接タイプのものを説明したが、外接タイプのギアポンプにおいて本発明の軸受構造を適用しても同様の効果が得られる。
【図面の簡単な説明】
【００３６】
【図１】本発明の実施形態に係るギアポンプの回転軸の軸受付近の拡大断面図である。
【図２】従来のギアポンプの回転軸の断面図である。
【図３】従来のギアポンプの回転軸付近の拡大断面図である。
【符号の説明】
【００３７】
１…ハウジング
２…内部空間
３…内歯車
４…外歯車
５…回転軸
６…開口
７…端面
１１…蓋部材
２０…第１軸受部材
２１…内輪
２２…第２軸受部材
２３…外輪
２４…付勢手段
【図１】
0005390114.tif 000002
【図２】
0005390114.tif 000003
【図３】
0005390114.tif 000004